(57)【要約】【課題】情報提供システム、端末およびその情報提供方法を提供すること。【解決手段】本発明にかかる情報提供システムは、病院に関する情報を格納管理する情報管理部と、ユーザ端末から病院に関するキーワードを受信し、前記情報管理部に格納された情報から検索を行う検索部と、前記ユーザ端末から医療関連相談の申込を受信し、病院端末と連動して、相談結果を前記ユーザ端末に伝送する相談処理部とを含む。【選択図】図２
2012226730.tif 000002
【特許請求の範囲】
【請求項１】
病院に関する情報を格納管理する情報管理部と、
ユーザ端末から病院に関するキーワードを受信し、前記情報管理部に格納された情報から検索を行う検索部と、
前記ユーザ端末から医療関連相談の申込を受信し、病院端末と連動して、相談結果を前記ユーザ端末に伝送する相談処理部と、
を含むことを特徴とする情報提供システム。
【請求項２】
前記情報管理部は、前記病院に関する情報を含む病院アプリケーションをさらに格納し、
前記検索部は、前記ユーザ端末に前記キーワードに関する前記病院アプリケーションをさらに提供することを特徴とする請求項１に記載の情報提供システム。
【請求項３】
前記検索部は、前記病院に関する情報、または前記病院アプリケーションを診療科目別または地域別に前記ユーザ端末に提供することを特徴とする請求項２に記載の情報提供システム。
【請求項４】
前記情報管理部は、健康に関する情報をさらに格納し、
前記検索部は、前記ユーザ端末の要請に応じて、前記健康に関する情報を前記ユーザ端末にさらに提供することを特徴とする請求項２に記載の情報提供システム。
【請求項５】
前記相談処理部は、前記ユーザ端末から患部の写真を受信することを特徴とする請求項１に記載の情報提供システム。
【請求項６】
前記ユーザ端末の申込に応じて、特定の病院について、診療待ち時間または診療待ち人数を通知する待ち時間通知部をさらに含むことを特徴とする請求項１に記載の情報提供システム。
【請求項７】
前記ユーザ端末に金融商品情報を提供し、これに対する申込を受信して処理する金融商品管理部をさらに含むことを特徴とする請求項１に記載の情報提供システム。
【請求項８】
前記ユーザ端末の活動に応じて、前記病院端末と連動して、前記ユーザ端末に補償を行う補償処理部をさらに含むことを特徴とする請求項１に記載の情報提供システム。
【請求項９】
前記ユーザ端末の活動は、病院ウェブサイトに対するアクセス回数、前記病院アプリケーションに対するアクセス回数、ユーザの病院訪問回数、前記ユーザ端末の病院推薦回数、および推薦回数による他のユーザの病院訪問回数のうちの少なくともいずれか１つを含むことを特徴とする請求項８に記載の情報提供システム。
【請求項１０】
前記ユーザ端末の活動は、前記ユーザ端末のコードスキャンで行われることを特徴とする請求項９に記載の情報提供システム。
【請求項１１】
病院に関するキーワードまたは医療相談に必要な情報を受信する入力部と、
前記キーワードまたは前記医療相談に必要な情報を病院情報検索システムに伝達する通信部と、
前記病院情報検索システムから前記キーワードに対する検索結果または前記医療相談に対する結果を受信して表示する情報表示制御部と、
を含むことを特徴とする端末。
【請求項１２】
前記検索結果は、前記キーワードに関連する病院情報リストおよび病院アプリケーションリストのうちの少なくとも１つを含むことを特徴とする請求項１１に記載の端末。
【請求項１３】
前記検索結果は、診療科目別または地域別に区分して提供されることを特徴とする請求項１２に記載の端末。
【請求項１４】
情報提供システムがユーザ端末に病院情報を提供する方法であって、
前記ユーザ端末から病院に関するキーワードを受信するステップと、
前記病院に関するキーワードに基づいて検索結果リストを生成し、前記ユーザ端末に提供するステップと、
前記ユーザ端末から医療関連相談の申込を受信するステップと、
病院端末と連動して、前記ユーザ端末に相談結果を提供するステップと、
を含むことを特徴とする情報提供方法。
【請求項１５】
前記病院情報は、病院に関する病院アプリケーションを含むことを特徴とする請求項１４に記載の情報提供方法。
【請求項１６】
前記ユーザ端末に提供するステップは、
前記病院情報を診療科目別または地域別に前記ユーザ端末に提供することを特徴とする請求項１４に記載の情報提供方法。
【請求項１７】
前記ユーザ端末から健康情報の提供要請を受信するステップと、
前記健康情報を前記ユーザ端末に提供するステップと、
をさらに含むことを特徴とする請求項１４に記載の情報提供方法。
【請求項１８】
前記医療関連相談の申込を受信するステップは、
患部に対する写真を受信するステップを含むことを特徴とする請求項１４に記載の情報提供方法。
【請求項１９】
前記ユーザ端末の要請に応じて、前記ユーザ端末に、特定の病院について、診療待ち時間または診療待ち人数を通知するステップを含むことを特徴とする請求項１４に記載の情報提供方法。
【請求項２０】
前記ユーザ端末に金融商品情報を提供するステップと、
前記ユーザ端末から前記金融商品に対する申込を受信して処理するステップと、
をさらに含むことを特徴とする請求項１４に記載の情報提供方法。
【請求項２１】
前記ユーザ端末から補償関連活動を受信するステップと、
前記病院端末と連動して、前記補償関連活動に対する補償を行うステップと、
をさらに含むことを特徴とする請求項１４に記載の情報提供方法。
【請求項２２】
前記ユーザ端末の活動は、病院ウェブサイトに対するアクセス回数、前記病院アプリケーションに対するアクセス回数、ユーザの病院訪問回数、前記ユーザ端末の病院推薦回数、および推薦回数による他のユーザの病院訪問回数のうちの少なくともいずれか１つを含むことを特徴とする請求項２１に記載の情報提供方法。
【請求項２３】
前記ユーザ端末の活動は、前記ユーザ端末のコードスキャンで行われることを特徴とする請求項２１に記載の情報提供方法。
【請求項２４】
教会に関するキーワードを受信する入力部と、
前記キーワードを情報検索システムに伝達する通信部と、
前記情報検索システムから前記キーワードに関連する教会情報および教会アプリケーションを受信して表示する情報表示制御部と、
前記教会のコードをスキャンするコードリーダ部と、
を含むことを特徴とする端末。
【請求項２５】
前記教会情報および前記教会アプリケーションはそれぞれ、
前記教会の基本紹介、礼拝案内、週報案内、週日説教動画、電話番号、および道案内のうちの少なくともいずれか１つを含むことを特徴とする請求項２４に記載の端末。
【請求項２６】
前記コードリーダ部のスキャン回数、教会推薦回数、および前記教会推薦による他のユーザの教会訪問回数のうちの少なくともいずれか１つに基づいて補償を受けることを特徴とする請求項２４に記載の端末。
【発明の詳細な説明】
【技術分野】
【０００１】
本発明は、情報提供システム、端末およびその情報提供方法に関する。
【背景技術】
【０００２】
インターネットユーザは、ポータルサイト（ｐｏｒｔａｌ  ｓｉｔｅ）などで関心のある業者などを検索し、検索された業者の情報を受けることができる。この時、ユーザの検索は、関心のある業者に関連する多様なキーワード（ｋｅｙｗｏｒｄ）を入力することによって実行できる。つまり、ユーザが業者に関連するキーワードを入力すると、ポータルサイトなどは、ユーザが入力したキーワードに関連する検索結果リストをユーザに提供する。
【０００３】
従来はコンピュータを介してインターネットを用いていたが、最近は、インターネット接続が可能な携帯端末の普及により、携帯端末を用いてインターネット検索を行う場合が増加している。これにより、インターネット検索がユーザの生活により深く関連づけられている。
【０００４】
しかし、従来のインターネット検索は、大手ポータルサイトを介してユーザが必要な情報を検索し、ユーザが必要とする特定の分野に対して特化した検索手段が存在しなかった。特に、ユーザに必要な教会情報、法律サービス情報、および非営利団体のサービスに関する情報などは専門化された検索結果が必要であったが、これを提供する手段が存在しなかった。
【先行技術文献】
【特許文献】
【０００５】
【特許文献１】特開２００９−１１０４２１号公報
【発明の概要】
【発明が解決しようとする課題】
【０００６】
本発明が解決しようとする技術的課題は、ユーザが必要とする病院情報または教会情報などの特定の情報に特化した検索を可能にすることにより、より効果的に有用な情報を提供できるようにすることである。
【課題を解決するための手段】
【０００７】
本発明の一実施形態にかかる情報提供システムは、病院に関する情報を格納管理する情報管理部と、ユーザ端末から病院に関するキーワードを受信し、前記情報管理部に格納された情報から検索を行う検索部と、前記ユーザ端末から医療関連相談の申込を受信し、病院端末と連動して、相談結果を前記ユーザ端末に伝送する相談処理部とを含む。
【０００８】
前記情報管理部は、前記病院に関する情報を含む病院アプリケーションをさらに格納し、前記検索部は、前記ユーザ端末に前記キーワードに関する前記病院アプリケーションをさらに提供することができる。
【０００９】
前記検索部は、前記病院に関する情報、または前記病院アプリケーションを診療科目別または地域別に前記ユーザ端末に提供することができる。
【００１０】
前記情報管理部は、健康に関する情報をさらに格納し、前記検索部は、前記ユーザ端末の要請に応じて、前記健康に関する情報を前記ユーザ端末にさらに提供することができる。
【００１１】
前記相談処理部は、前記ユーザ端末から患部の写真を受信することができる。
【００１２】
前記ユーザ端末の申込に応じて、特定の病院について、診療待ち時間または診療待ち人数を通知する待ち時間通知部をさらに含むことができる。
【００１３】
前記ユーザ端末に金融商品情報を提供し、これに対する申込を受信して処理する金融商品管理部をさらに含むことができる。
【００１４】
前記ユーザ端末の活動に応じて、前記病院端末と連動して、前記ユーザ端末に補償を行う補償処理部をさらに含むことができる。
【００１５】
前記ユーザ端末の活動は、病院ウェブサイトに対するアクセス回数、前記病院アプリケーションに対するアクセス回数、ユーザの病院訪問回数、前記ユーザ端末の病院推薦回数、および推薦回数による他のユーザの病院訪問回数のうちの少なくともいずれか１つを含むことができる。
【００１６】
前記ユーザ端末の活動は、前記ユーザ端末のコードスキャンで実行できる。
【００１７】
本発明の他の実施形態にかかる端末は、病院に関するキーワードまたは医療相談に必要な情報を受信する入力部と、前記キーワードまたは前記医療相談に必要な情報を病院情報検索システムに伝達する通信部と、前記病院情報検索システムから前記キーワードに対する検索結果または前記医療相談に対する結果を受信して表示する情報表示制御部とを含む。
【００１８】
前記検索結果は、前記キーワードに関連する病院情報リストおよび病院アプリケーションリストのうちの少なくとも１つを含むことができる。
【００１９】
前記検索結果は、診療科目別または地域別に区分して提供できる。
【００２０】
本発明の他の実施形態にかかる病院情報提供方法は、情報提供システムがユーザ端末に病院情報を提供する方法であって、前記ユーザ端末から病院に関するキーワードを受信するステップと、前記病院に関するキーワードに基づいて検索結果リストを生成し、前記ユーザ端末に提供するステップと、前記ユーザ端末から医療関連相談の申込を受信するステップと、病院端末と連動して、前記ユーザ端末に相談結果を提供するステップとを含む。
【００２１】
前記病院情報は、病院に関する病院アプリケーションを含むことができる。
【００２２】
前記ユーザ端末に提供するステップは、前記病院情報を診療科目別または地域別に前記ユーザ端末に提供することができる。
【００２３】
前記ユーザ端末から健康情報の提供要請を受信するステップと、前記健康情報を前記ユーザ端末に提供するステップとをさらに含むことができる。
【００２４】
前記医療関連相談の申込を受信するステップは、患部に対する写真を受信するステップを含むことができる。
【００２５】
前記ユーザ端末の要請に応じて、前記ユーザ端末に、特定の病院について、診療待ち時間または診療待ち人数を通知するステップを含むことができる。
【００２６】
前記ユーザ端末に金融商品情報を提供するステップと、前記ユーザ端末から前記金融商品に対する申込を受信して処理するステップとをさらに含むことができる。
【００２７】
前記ユーザ端末から補償関連活動を受信するステップと、前記病院端末と連動して、前記補償関連活動に対する補償を行うステップとをさらに含むことができる。
【００２８】
前記ユーザ端末の活動は、病院ウェブサイトに対するアクセス回数、前記病院アプリケーションに対するアクセス回数、ユーザの病院訪問回数、前記ユーザ端末の病院推薦回数、および推薦回数による他のユーザの病院訪問回数のうちの少なくともいずれか１つを含むことができる。
【００２９】
前記ユーザ端末の活動は、前記ユーザ端末のコードスキャンで実行できる。
【００３０】
本発明の他の実施形態にかかる端末は、教会に関するキーワードを受信する入力部と、前記キーワードを情報検索システムに伝達する通信部と、前記情報検索システムから前記キーワードに関連する教会情報および教会アプリケーションを受信して表示する情報表示制御部と、前記教会のコードをスキャンするコードリーダ部とを含む。
【００３１】
前記教会情報および前記教会アプリケーションはそれぞれ、前記教会の基本紹介、礼拝案内、週報案内、週日説教動画、電話番号、および道案内のうちの少なくともいずれか１つを含むことができる。
【００３２】
前記コードリーダ部のスキャン回数、教会推薦回数、および前記教会推薦による他のユーザの教会訪問回数のうちの少なくともいずれか１つに基づいて補償を受けることができる。
【発明の効果】
【００３３】
本発明によれば、ユーザが必要とする病院情報、教会情報、法律サービス情報、および非営利団体のサービスに関する情報などに特化した検索を可能にすることにより、ユーザは、効果的に病院、教会、法律サービス、および非営利団体のサービスに関する有用な情報を受けることができ、病院、教会、法律サービス、および非営利団体の運営者は、病院、教会、法律サービス、および非営利団体に対するマーケティングを効率的に行うことができる。
【図面の簡単な説明】
【００３４】
【図１】本発明の一実施形態にかかる情報提供システムが動作する環境を示すブロック図である。
【図２】本発明の一実施形態にかかる情報提供システムのブロック図である。
【図３】本発明の他の実施形態にかかるユーザ端末のブロック図である。
【図４】本発明の一実施形態にかかる情報提供システムが提供した病院情報をユーザ端末に表示した画面の例である。
【図５】本発明の一実施形態にかかる情報提供システムが提供した病院情報をユーザ端末に表示した画面の例である。
【図６】本発明の一実施形態にかかる情報提供システムが提供した病院情報をユーザ端末に表示した画面の例である。
【図７】本発明の一実施形態にかかる情報提供システムが提供した病院情報をユーザ端末に表示した画面の例である。
【図８】本発明の一実施形態にかかる情報提供システムが提供した病院情報をユーザ端末に表示した画面の例である。
【図９】本発明の一実施形態にかかる情報提供システムが提供した病院情報をユーザ端末に表示した画面の例である。
【図１０】本発明の一実施形態にかかる情報提供システムが提供した病院情報をユーザ端末に表示した画面の例である。
【図１１】本発明の一実施形態にかかる情報提供システムが提供した病院情報をユーザ端末に表示した画面の例である。
【図１２】本発明の一実施形態にかかる情報提供システムが提供した病院情報をユーザ端末に表示した画面の例である。
【図１３】本発明の一実施形態にかかる情報提供システムが提供した病院情報をユーザ端末に表示した画面の例である。
【図１４】本発明の一実施形態にかかる情報提供システムが提供した病院情報をユーザ端末に表示した画面の例である。
【図１５】本発明の一実施形態にかかる情報提供システムが提供した病院情報をユーザ端末に表示した画面の例である。
【図１６】本発明の一実施形態にかかる情報提供システムが提供した病院情報をユーザ端末に表示した画面の例である。
【図１７】本発明の一実施形態にかかる情報提供システムが提供した病院情報をユーザ端末に表示した画面の例である。
【図１８】本発明の他の実施形態にかかる情報提供方法を示すフローチャートである。
【図１９】本発明の他の実施形態にかかる情報提供システムが提供した教会情報をユーザ端末に表示した画面の例である。
【図２０】本発明の他の実施形態にかかる情報提供システムが提供した教会情報をユーザ端末に表示した画面の例である。
【図２１】本発明の他の実施形態にかかる情報提供システムが提供した教会情報をユーザ端末に表示した画面の例である。
【図２２】本発明の他の実施形態にかかる情報提供システムが提供した教会情報をユーザ端末に表示した画面の例である。
【図２３】本発明の他の実施形態にかかる情報提供システムが提供した教会情報をユーザ端末に表示した画面の例である。
【図２４】本発明の他の実施形態にかかる情報提供システムが提供した教会情報をユーザ端末に表示した画面の例である。
【発明を実施するための形態】
【００３５】
以下、添付した図面を参考にして、本発明の実施形態について、本発明の属する技術分野における通常の知識を有する者が容易に実施できるように詳細に説明する。ただし、本発明は、種々の異なる形態で実現可能であり、ここで説明する実施形態に限定されない。そして、図面において、本発明を明確に説明するために、説明上不必要な部分は省略し、明細書全体にわたって類似の部分については類似の図面符号を付した。
【００３６】
明細書全体において、ある部分がある構成要素を「含む」という時、これは、特に反対となる記載がない限り、他の構成要素を除外するのではなく、他の構成要素をさらに含むことができることを意味する。また、明細書に記載された「…部」、「…器」、「モジュール」などの用語は、少なくとも１つの機能または動作を処理する単位を意味し、これは、ハードウェアやソフトウェアまたはハードウェアおよびソフトウェアの組み合わせで実現可能である。
【００３７】
以下、図面を参照して、本発明の一実施形態にかかる情報提供システムおよび提供方法について詳細に説明する。
図１は、本発明の一実施形態にかかる情報提供システムが動作する環境を示すブロック図である。
【００３８】
図１を参照すると、本発明の一実施形態にかかる情報提供システム１００は、ユーザ端末２００および業者端末３００にネットワークで接続されている。
情報提供システム１００は、業者端末３００と連携して、ユーザ端末２００の要請に応じて、業者に関する情報を提供し、ユーザ端末２００に金融商品を紹介し、ユーザ端末２００の活動に基づいて補償を行うサーバである。
【００３９】
ユーザ端末２００は、ユーザがネットワークを介して情報提供システム１００と通信する装置であり、例えば、コンピュータ、個人携帯用情報端末（Ｐｅｒｓｏｎａｌ  Ｄｉｇｉｔａｌ  Ａｓｓｉｓｔａｎｔ、ＰＤＡ）、移動通信端末、およびテレビ（ｔｅｌｅｖｉｓｉｏｎ、ＴＶ）など、多様な通信装置が使用できる。
【００４０】
業者端末３００は、業者の運営者がネットワークを介して情報提供システム１００と通信する装置であり、ユーザ端末２００と同様に、個人携帯用情報端末、移動通信端末、およびテレビなど、多様な通信装置が使用できる。ここで、業者とは、病院、教会、動物病院、法律サービス提供業者、および寄付などの業務を行う非営利団体などであり得る。
【００４１】
次に、図２を参照して、本発明の一実施形態にかかる情報提供システム１００について詳細に説明する。
図２は、本発明の一実施形態にかかる情報提供システムのブロック図である。
【００４２】
図２を参照すると、情報提供システム１００は、情報管理部１１０と、検索部１２０と、待ち時間通知部１３０と、補償処理部１４０と、金融商品管理部１５０と、相談処理部１６０とを含む。
情報管理部１１０は、業者情報、業者アプリケーション、および業者が提供するサービスに関連する一般情報などを格納する。
【００４３】
検索部１２０は、ユーザ端末２００の検索要請に応じて、情報管理部１１０に格納されている情報から検索を行い、ユーザ端末２００に業者情報を提供する。情報管理部１１０がユーザ端末２００に提供する業者情報は、業者名、業者のアドレス、業者のサービス情報、および業者のモバイル用ウェブサイトなどに関する情報であり得、業者に関する情報を盛り込んだアプリケーションであり得る。このようなアプリケーションは、例えば、ＭｏｔｈｅｒＡＰＰ（登録商標）を利用して開発してもよい。ユーザ端末２００は、業者に関するアプリケーションを受けた場合、これをダウンロッドしてユーザ端末２００にインストールすることができる。
【００４４】
また、検索部１２０は、ユーザ端末２００の業者が提供するサービスに関連する一般情報、例えば、健康情報などの検索要請に応じて、情報管理部１１０に格納されている情報から検索を行い、ユーザ端末２００に情報を提供する。
待ち時間通知部１３０は、特定の病院の端末３００と連動して、当該病院におけるユーザの予約待ち時間をユーザ端末２００に通知する。
【００４５】
補償処理部１４０は、ユーザ端末２００の業者ウェブサイトまたは業者アプリケーションに対するアクセス回数、ユーザの業者訪問回数、ユーザ端末２００の業者推薦回数、推薦回数による他のユーザの業者訪問回数などに応じて、ユーザ端末２００にそれに基づいた補償を処理する。
【００４６】
金融商品管理部１５０は、ユーザ端末２００に関連金融商品情報を提供し、商品加入要請を受信して処理する。
相談処理部１６０は、ユーザ端末２００から医療関連相談を受信し、業者端末３００と連動して、これに関する答弁をユーザ端末２００に提供する。
【００４７】
次に、図３を参照して、本発明の一実施形態にかかるユーザ端末２００について詳細に説明する。
図３は、本発明の他の実施形態にかかるユーザ端末のブロック図である。
図３を参照すると、ユーザ端末２００は、入力部２１０と、通信部２２０と、情報表示制御部２３０と、格納部２４０と、コードリーダ部２５０とを含む。
【００４８】
入力部２１０は、ユーザが業者に関して所望のキーワードを入力する部分である。
通信部２２０は、ユーザが入力部２１０を介して入力したキーワードを情報提供システム１００に伝達し、情報提供システム１００から検索結果を受信する。
情報表示制御部２３０は、情報提供システム１００から受信した情報の表示を制御する。
格納部２４０は、情報提供システム１００から受信した情報を格納する。
【００４９】
コードリーダ部２５０は、情報提供システム１００から提供された業者に訪問して業者のコードをスキャンするようにする手段であって、これを介して、ユーザ端末２００は、情報提供システム１００から訪問に対する補償を受けることができる。
【００５０】
次に、図４〜図１７を参照して、本発明の一実施形態にかかる情報提供システムおよびユーザ端末について詳細に説明する。
図４〜図１７は、それぞれ本発明の一実施形態にかかる情報提供システムが提供した病院情報をユーザ端末に表示した画面の様々な例である。この時、業者端末３００は、病院で使用する端末であり得る。また、ユーザ端末２００は、ｉＰｈｏｎｅ（登録商標）、Ａｎｄｒｏｉｄ（登録商標）端末等のスマートフォンであり得る。
【００５１】
まず、図４を参照すると、ユーザ端末２００は、検索ボックス１１を表示して、ユーザからキーワードを受信することができる。ユーザが検索ボックス１１に「チョンダムス」というキーワードを入力した場合、ユーザ端末２００は、キーワードを情報提供システム１００に伝送し、その検索結果を受信して、図５のように、検索結果１２を表示することができる。
【００５２】
ユーザが検索結果１２を選択すると、ユーザ端末２００は、ユーザの選択を情報提供システム１００に伝送し、情報提供システム１００は、当該検索結果の詳細情報をユーザ端末２００に伝送し、ユーザ端末２００は、詳細情報１３を、図６のように表示することができる。詳細情報１３は、当該病院の基本紹介１４、お知らせ１５、予約問合せ１６、イベントおよび相談１７などに関する情報を含むことができる。
【００５３】
再度図４を参照すると、ユーザ端末２００は、病院に対してカテゴリ化して表示することができ、例えば、科目別表示および地域別表示を提供することができる。
また、ユーザ端末２００は、ダウンロードしてインストールした病院アプリケーションに対してリスト４１として表示することができ、情報提供システム１００からユーザ端末２００にダウンロードされた病院に対するアプリケーションリストおよび新規病院に対するアプリケーションリストを受信して表示することができる。
【００５４】
ユーザ端末２００は、健康情報３１を表示することができ、ユーザの選択により、図７のように、詳細健康情報３２を表示することができる。このような内容は、情報提供システム１００から伝送された内容であり、図７のように、例えば、日々の健康情報であり得る。
一方、図８を参照すると、ユーザ端末２００は、情報提供システム１００から、特定の病院におけるユーザの予約待ち時間および待ち人数情報を受信して表示することができる。
【００５５】
再度図４を参照すると、ユーザ端末２００は、コードリーダ部５１を表示することができ、ユーザの選択により、図９のように、コードリーダの機能を実行することができ、この時、病院のロゴが表示できる。ユーザが特定の病院のコードをコードリーダ部５１でスキャンすると、スキャンした回数が記録として残り、格納部２４０に格納できる。また、図１０のように、スキャン回数、つまり、訪問回数５３がユーザ端末２００に表示できる。
【００５６】
一方、ユーザ端末２００は、図１１のように、特定の病院について、他の人への推薦文５４を作成して文字メッセージなどとして送ることができ、このように推薦した回数は格納部２４０に格納される。また、他のユーザ端末がユーザ端末２００から推薦されて当該病院を訪問した回数も格納部２４０に格納できる。さらに、ユーザ端末２００は、ユーザ端末２００の訪問回数タブ５５、推薦回数タブ５６、および推薦による訪問回数タブ５７を画面に表示することができる。
【００５７】
また、図１２のように、訪問回数タブ５５、推薦回数タブ５６、および推薦による訪問回数タブ５７の３つの各々に基づいて点数化された内容５８を表示することができ、このような内容は、情報提供システム１００でも同様に管理され、今後、業者端末３００との連動により、ユーザ端末２００は補償を受けることができる。
【００５８】
再度図４を参照すると、ユーザ端末２００は、金融商品タブ６１を表示することができ、ユーザの選択により、図１３のように、情報提供システム１００にアクセスするユーザ端末２００または業者端末３００に対して特化した金融商品６２を提供することができる。ユーザ端末２００は、ユーザの選択により、図１４のように、金融商品加入画面６３を提供することができ、ユーザが金融商品加入画面６３に加入情報を入力すると、ユーザ端末２００は、これを情報提供システム１００に送り、情報提供システム１００は、このような金融商品への加入を処理することができる。
【００５９】
ユーザ端末２００は、医療相談タブを表示することができ、ユーザの選択により、図１５のように、相談情報入力画面７２を提供することができる。ユーザが相談情報入力画面７２で相談に必要な情報を入力することができる。この時、ユーザ端末２００は、図１６のように、患部をカメラで直接撮影した映像データを入力させることができ、図１７のように、写真選択タブ７３を表示して、患部に対して写真撮影をするか、アルバムからすでに撮影された写真を選択させることができる。ユーザ端末２００は、情報提供システム１００に相談情報を送信し、情報提供システム１００は、業者端末３００との連動により、相談結果をユーザ端末２００に伝送することができる。
【００６０】
次に、図１８を参照して、本発明の他の実施形態にかかる情報提供方法について詳細に説明する。
図１８は、本発明の他の実施形態にかかる情報提供方法を示すフローチャートである。
【００６１】
図１８を参照すると、まず、ユーザ端末２００は、情報提供システム１００に病院に関するキーワードを送信することによって検索を要請する（Ｓ８１１）。実際には、ユーザ端末２００が提供する検索ボックス１１にユーザが所望のキーワードを記入して検索ボタンを押すと、ユーザ端末２００が当該キーワードを情報提供システム１００に送る。
【００６２】
すると、情報提供システム１００は、当該キーワードに対する検索結果リストをユーザ端末２００に提供する（Ｓ８１２）。検索結果リストは、キーワードに関連する病院情報リストおよび病院アプリケーションリストなどを含む。この時、検索結果リストは、ユーザ端末２００の選択により、診療科目別または地域別に分類して提供できる。
【００６３】
ユーザ端末２００は、検索結果リストから所望の検索結果を選択する（Ｓ８１３）。すると、情報提供システム１００は、ユーザ端末２００が選択した病院に関する情報を提供するか、当該病院のアプリケーションをユーザ端末２００に送信する（Ｓ８１４）。
一方、ユーザ端末２００は、情報提供システム１００に健康情報の提供を要請することができる（Ｓ８１５）。すると、情報提供システム１００は、定められた基準に基づいて健康情報をユーザ端末２００に提供する（Ｓ８１６）。
【００６４】
ユーザ端末２００は、特定の病院について、自分の予約に対する診療待ち時間通知サービスを要請することができる（Ｓ８１７）。すると、情報提供システム１００は、当該業者端末３００と連動して、ユーザ端末２００の待ち時間および待ち人数に関する情報を送信する（Ｓ８１８）。
【００６５】
また、ユーザ端末２００は、情報提供システム１００に補償関連活動を送信する（Ｓ８１９）。ここで、補償関連活動とは、当該病院ウェブサイトへのアクセス、病院アプリケーションへのアクセス、他のユーザ端末への推薦、推薦された他のユーザ端末の病院訪問などであり得る。この時、ユーザ端末２００の当該病院のコードをスキャンすることによって訪問回数を算定することができる。
すると、情報提供システム１００は、ユーザ端末２００の補償関連活動を格納し、業者端末３００と連動して、これに対する補償を行う（Ｓ８２０）。
【００６６】
一方、ユーザ端末２００は、情報提供システム１００に金融情報を要請することができる（Ｓ８２１）。すると、情報提供システム１００は、ユーザ端末２００に合った金融情報を提供し（Ｓ８２２）、ユーザ端末２００から金融商品の申込を受信して（Ｓ８２３）、金融商品の申込処理を行うことができる（Ｓ８２４）。
【００６７】
また、ユーザ端末２００は、情報提供システム１００に医療相談の申込を行うことができる（Ｓ８２５）。この時、ユーザ端末２００は、医療相談に必要な情報、例えば、患部の写真などを送ることができる。情報提供システム１００は、これにより、業者端末３００と連動して、医療相談結果をユーザ端末２００に送ることによって相談を処理することができる（Ｓ８２６）。
【００６８】
このように、本発明の一実施形態によれば、ユーザが必要とする病院情報に特化した検索を可能にすることができ、ユーザは、効果的に病院に関する有用な情報を受けることができ、病院の運営者は、病院に対するマーケティングを効率的に行うことができる。
【００６９】
次に、図１９〜図２４を参照して、本発明の他の実施形態にかかる情報提供システムおよびユーザ端末について詳細に説明する。
図１９〜図２４は、それぞれ本発明の他の実施形態にかかる情報提供システムが提供した教会情報をユーザ端末に表示した画面の様々な例である。この時、業者端末３００は、教会で使用する端末であり得る。
【００７０】
まず、図１９を参照すると、ユーザ端末２００は、検索ボックス９１を表示して、ユーザからキーワードを受信することができる。ユーザが検索ボックス９１に教会名を入力し、教会リストに関する情報を取得することができる。ユーザの選択により、ユーザ端末２００は、ユーザの教会９２を表示することができ、ユーザの関心のある教会９３を表示することができる。
【００７１】
ユーザが検索結果を選択すると、ユーザ端末２００は、選択された教会を情報提供システム１００に伝送し、情報提供システム１００は、当該教会の詳細情報をユーザ端末２００に伝送して、図２０のように表示することができる。詳細情報は、当該教会の教会案内９４、礼拝／週報案内９５、説教動画９６、および道案内９７などに関する情報を含むことができる。このような情報は、情報提供システム１００がウェッブで当該情報をユーザ端末２００に伝送して表示することもでき、情報提供システム１００が、図２０のような形態を有するアプリケーションをユーザ端末２００に提供することもできる。
【００７２】
ユーザ端末２００が礼拝／週報案内９５を選択すると、図２１のような画面がユーザ端末２００に表示できる。つまり、日付別に週報リストを表示し、特定日の週報をユーザが選択した場合、図２２のように、週報の詳細内容がユーザ端末２００に表示できる。また、図２３のように、教会信者の祈りの題名がユーザ端末２００に表示できる。
【００７３】
ユーザ端末２００が説教動画９６を選択すると、図２４のように、週日説教リストがユーザ端末２００に表示できる。特定の週日説教をユーザが選択した場合、当該週日説教の動画がユーザ端末２００に表示できる。
【００７４】
一方、ユーザ端末２００は、図９と同様に、コードリーダ部を表示することができ、ユーザの選択により、コードリーダの機能を実行することができる。ユーザが特定の教会のコードをコードリーダ部５１でスキャンすると、スキャンした回数が記録として残り、格納部２４０に格納できる。また、スキャン回数、つまり、訪問回数５３がユーザ端末２００に表示できる。このような回数は点数化されて補償されることにより、信者間の教会広報の手段として使用できる。
【００７５】
一方、情報提供システム１００は、ユーザ端末２００に教会に関するお知らせメッセージを送ることができる。
【００７６】
以上、本発明の実施形態について詳細に説明したが、本発明の権利範囲はこれに限定されるものではなく、下記の請求の範囲で定義している本発明の基本概念を利用した当業者の様々な変形および改良形態も、本発明の権利範囲に属する。
【符号の説明】
【００７７】
１１、９１      検索ボックス
１２      検索結果
１３      詳細情報
１４      （病院の）基本紹介
１５      お知らせ
１６      予約問合せ
１７      イベントおよび相談
３１      健康情報
３２      詳細健康情報
４１      リスト
５１      コードリーダ部
５３      訪問回数
５５      訪問回数タブ
５６      推薦回数タブ
５７      推薦による訪問回数タブ
５８      点数化された内容
６１      金融商品タブ
６３      金融商品加入画面
７２      相談情報入力画面
７３      写真選択タブ
９２      ユーザの教会
９３      ユーザの関心のある教会
９４      教会案内
９５      礼拝／週報案内
９６      説教動画
９７      道案内
１００      情報提供システム
１１０      情報管理部
１２０      検索部
１３０      待ち時間通知部
１４０      補償管理部
１５０      金融商品管理部
１６０      相談処理部
２００      ユーザ端末
２１０      入力部
２２０      通信部
２３０      情報表示制御部
２４０      格納部
２５０      コードリーダ部
３００      業者端末
【図１】
2012226730.tif 000003
【図２】
2012226730.tif 000004
【図３】
2012226730.tif 000005
【図４】
2012226730.tif 000006
【図５】
2012226730.tif 000007
【図６】
2012226730.tif 000008
【図７】
2012226730.tif 000009
【図８】
2012226730.tif 000010
【図９】
2012226730.tif 000011
【図１０】
2012226730.tif 000012
【図１１】
2012226730.tif 000013
【図１２】
2012226730.tif 000014
【図１３】
2012226730.tif 000015
【図１４】
2012226730.tif 000016
【図１５】
2012226730.tif 000017
【図１６】
2012226730.tif 000018
【図１７】
2012226730.tif 000019
【図１８】
2012226730.tif 000020
【図１９】
2012226730.tif 000021
【図２０】
2012226730.tif 000022
【図２１】
2012226730.tif 000023
【図２２】
2012226730.tif 000024
【図２３】
2012226730.tif 000025
【図２４】
2012226730.tif 000026